(57)【要約】      （修正有）【課題】段ボールシートの使用面積が小さく、埋板が一体化された仕切体を形成できる組仕切及び包装資材セットを提供する。【解決手段】組仕切は、段ボールシートから形成され、組み立て状態で段ボール箱内に配置されて段ボール箱の内部空間を区分する組仕切であって、上縁から下方に延びる第１スリット３５を有する短辺中央仕切板３１と、下縁から上方に延び、第１スリットに咬合する第２スリット３９を有し、短辺中央仕切板と組み合わされる長辺仕切板３３と、短辺中央仕切板の下縁に連設され、段ボール箱の底壁内側の凹部に嵌合する埋板３２とを含み、短辺中央仕切板と埋板とが第１スリットの下方で接続され、短辺中央仕切板が第１スリットのない部分の下方に切欠３６を有し、埋板が切欠と相補的な凸部３８を有する。【選択図】図２
0003211346.tif 000002
【実用新案登録請求の範囲】
【請求項１】
段ボールシートから形成され、組み立て状態で段ボール箱内に配置されて段ボール箱の内部空間を区分する組仕切であって、
上縁から下方に延びる第１スリットを有する短辺中央仕切板と、
下縁から上方に延び、上記第１スリットに咬合する第２スリットを有し、上記短辺中央仕切板と組み合わされる長辺仕切板と、
上記短辺中央仕切板の下縁に連設され、上記段ボール箱の底壁内側の凹部に嵌合する埋板と
を含み、
上記短辺中央仕切板と上記埋板とが第１スリットの下方で接続され、
上記短辺中央仕切板が上記第１スリットのない部分の下方に切欠を有し、
上記埋板が上記切欠と相補的な凸部を有することを特徴とする組仕切。
【請求項２】
上記長辺仕切板が上縁から下方に延びる第３スリットを有し、
下縁から上方に延び、上記第３スリットに咬合する第４スリットを有し、上記中央組仕切と平行に配置されるよう上記長辺仕切板と組み合わされる短辺外側仕切板をさらに含む請求項１に記載の組仕切。
【請求項３】
上記短辺中央仕切板の下縁の上記埋板との境界が段ボールシートの一方側の面だけを切断したハーフカット線により画定される請求項１又は請求項２に記載の組仕切。
【請求項４】
複数の上記長辺仕切板を含み、
上記短辺中央仕切板が複数の上記第１スリットを有し、
上記短辺中央仕切板と上記埋板とが上記複数の第１スリットの下方でそれぞれ接続される請求項１、請求項２又は請求項３に記載の組仕切。
【請求項５】
請求項１から請求項４のいずれか１項に記載の組仕切と、
上記組仕切が内部に配置される段ボール箱に組み立て可能な箱用シートと
を備える包装資材セット。
【考案の詳細な説明】
【技術分野】
【０００１】
本考案は、組仕切及び包装資材セットに関する。
【背景技術】
【０００２】
段ボール箱に複数の物品を収容する場合、物品同士が直接接触しないよう、物品間に段ボールシートから形成される仕切板を挿入することがある。例えば瓶入りの飲料等を縦横の行列状に配列して箱体内に収容するときには、二枚以上の仕切板に互いを咬合させるスリットを設けて平面視十字状乃至井桁状に組み合わせた仕切体（組仕切）が広く利用されている。
【０００３】
また、一般的な段ボール箱は、左右方向に交互に連設される方形状の１対の長辺側面パネル及び短辺側面パネルと、長辺側面パネルの上縁及び下縁から延出する２対の外フラップと、短辺側面パネルの上縁及び下縁から延出する２対の内フラップとを有する箱用シートを組み立てて形成される。より詳しくは、一般的な段ボール箱は、４つの側面パネルを四角筒状に接続し、この四角筒状体の上下の開口を内フラップ及び外フラップによって封止することで形成される。一般的な段ボール箱において、外フラップ及び内フラップの延出長さは、短辺側面パネルの左右方向の長さの約半分とされ、内フラップを折り込んだ外側に外フラップを折り重ね、対向する外フラップの先端を突合わせ状態とすることで側面パネルから形成される四角筒状体の開口を封止する。
【０００４】
このような段ボール箱では、内フラップ及び外フラップで形成される底壁の内側に、内フラップが存在しない部分が存在し、この内フラップが存在しない部分が段ボールシートの厚さ分だけ凹んだ凹部となっている。段ボール箱に複数の物品を収容する場合、内フラップが存在しない凹部に配置される物品は上下方向に遊びが大きく、例えば輸送時の振動等によって損傷しやすくなるおそれがある。
【０００５】
このため、上下の遊びにより損傷しやすい物品を収容する場合、段ボール箱の内フラップが存在しない凹部に段ボールシートから形成される埋板を嵌合させて、底側の内面を略面一にする構成や、底壁内側全面に段ボールシートから形成される底パッドを配置して底側の内面を略面一にする構成が採用されることがある。
【０００６】
埋板を用いる場合、物品を収容する前に埋板を段ボール箱の凹部に配置する必要がある。しかしながら、物品を収容する前の段ボール箱は、内フラップが外フラップから浮き上がった状態となっていることがあり、埋板が内フラップと外フラップとの間に入り込んでしまうなどの不具合が生じやすい。特に、埋板に加えて上述のような仕切体を用いる場合、段ボール箱内に埋板を配置した後に仕切体を挿入することになるが、作業が繁雑であると共に、仕切体の挿入時に埋板が位置ずれしやすい。
【０００７】
これに対して、特開２０１４−２２３９２６号公報には、底パッドを一体化した仕切体が提案されている。上記公報に記載の仕切体は、長辺仕切板（長さ方向仕切部材）の側縁に箱体の短辺側面パネルに密着するよう配置される方形状の側板を連設し、この側板の下縁に底パッド（底板）連設することで、底パッドを一体化している。この構成では、段ボール箱の底壁全体を覆う底パッドを用いる上、底パッドを接続するための側板が必要となるため、使用する段ボールシートの面積が大きくなり、コスト高となるという不都合がある。
【先行技術文献】
【特許文献】
【０００８】
【特許文献１】特開２０１４−２２３９２６号公報
【考案の概要】
【考案が解決しようとする課題】
【０００９】
上記不都合に鑑みて、本考案は、段ボールシートの使用面積が小さく、埋板が一体化された仕切体を形成できる組仕切及び包装資材セットを提供することを課題とする。
【課題を解決するための手段】
【００１０】
上記課題を解決するためになされた本考案の一態様に係る組仕切は、段ボールシートから形成され、組み立て状態で段ボール箱内に配置されて段ボール箱の内部空間を区分する組仕切であって、上縁から下方に延びる第１スリットを有する短辺中央仕切板と、下縁から上方に延び、上記第１スリットに咬合する第２スリットを有し、上記短辺中央仕切板と組み合わされる長辺仕切板と、上記短辺中央仕切板の下縁に連設され、上記段ボール箱の底壁内側の凹部に嵌合する埋板とを含み、上記短辺中央仕切板と上記埋板とが第１スリットの下方で接続され、上記短辺中央仕切板が上記第１スリットのない部分の下方に切欠を有し、上記埋板が上記切欠と相補的な凸部を有することを特徴とする。
【００１１】
当該組仕切は、短辺中央仕切板の下縁に埋板を連設したので、埋板が一体化された仕切体を形成することができる。また、当該組仕切は、短辺中央仕切板に切欠を形成し、この切欠と相補的な凸部を埋板に形成したことで、短辺中央仕切板及び埋板の面積が小さい。またこのような切欠と凸部とを噛み合わせるよう配置することで、短辺中央仕切板の下縁に直接埋板の中央部を接続することができるので、当該組仕切は、短辺中央仕切板と埋板との位置合わせのために余分なパネルを設ける必要がない。従って、当該組仕切は、段ボールシートの使用面積が小さい。また、当該組仕切は、短辺中央仕切板に上縁から下方に延びる第１スリットを形成し、長辺仕切板に下縁から上方に延びる第２スリットを形成したことによって、短辺中央仕切板の上方から長辺仕切板を咬合させて仕切体を形成する。このため、段ボール箱に当該組仕切を組み立ててなる仕切体を配置して仕切体によって区分される空間に物品を収容した包装体において、仕切体と物品との間に指を挿入することが難しい場合には、最初に長辺仕切板を上方に抜き取ることで、物品間に指を挿入する空間を形成し、物品の取り出しを容易にすることができる。
【００１２】
当該組仕切は、上記長辺仕切板が上縁から下方に延びる第３スリットを有し、下縁から上方に延び、上記第３スリットに咬合する第４スリットを有し、上記中央組仕切と平行に配置されるよう上記長辺仕切板と組み合わされる短辺外側仕切板をさらに含むことが好ましい。このように、当該組仕切が上記短辺外側仕切板をさらに含むことによって、段ボール箱の内部をより多くの区画に区分することができる。また、長辺仕切板が上縁から下方に延びる第３スリットを有し、短辺外側仕切板が下縁から上方に延びる第４スリットを有することによって、長辺仕切板を上方に抜き取ることで同時に短辺外側仕切板を抜き取ることができる。つまり、当該組仕切を組み立ててなる仕切体は、包装体においてお物品が載置されている埋板及びこの埋板に連設されている短辺中央仕切板だけを残して他の仕切板を一括して段ボール箱から抜き取って、物品の取り出しを容易化することができる。
【００１３】
当該組仕切において、上記短辺中央仕切板の下縁の上記埋板との境界が段ボールシートの一方側の面だけを切断したハーフカット線により画定されることが好ましい。このように、上記短辺中央仕切板と埋板との境界をハーフカット線により画定することによって、短辺中央仕切板に対して埋板を折り曲げることが容易となる。
【００１４】
当該組仕切は、複数の上記長辺仕切板を含み、上記短辺中央仕切板が複数の上記第１スリットを有し、上記短辺中央仕切板と上記埋板とが上記複数の第１スリットの下方でそれぞれ接続されることが好ましい。このように、上記短辺中央仕切板と埋板とが複数の第１スリットの下方でそれぞれ接続されることで、短辺中央仕切板の強度を向上すると共に、短辺中央仕切板に対して埋板を正確に折り曲げることができる。
【００１５】
本考案の別の態様に係る包装資材セットは、上述の組仕切と、上記組仕切が内部に配置される段ボール箱に組み立て可能な箱用シートとを備える。
【００１６】
当該包装資材セットは、上述の組仕切を備えるため、段ボールシートの使用面積が比較的小さく、且つ箱用シートを組み立ててなる段ボール箱の内部に埋板と仕切体とを正確に配置することができる。
【００１７】
なお、本考案において、「組仕切」とは、仕切体に組み立てられているものに限られず、組み合わせることによって仕切体を形成することができる複数の仕切板の組を含むものとする。
【考案の効果】
【００１８】
以上のように、本考案に係る組仕切及び包装資材セットは、段ボールシートの使用面積が小さく、埋板が一体化された仕切体を形成できる。
【図面の簡単な説明】
【００１９】
【図１】本考案の一実施形態の包装資材セットの箱用シートの模式的平面図（展開図）である。
【図２】図１の箱用シートと共に使用される本考案の一実施形態の組仕切の分解状態を示す模式的平面図（展開図）である。
【図３】図２の組仕切を組み立ててなる仕切体を示す模式的斜視図である。
【図４】図１の箱用シートを組み立ててなる段ボール箱に図３の仕切体を挿入した状態を示す模式的断面図である。
【図５】図３の仕切体の構成を示す模式的分解斜視図である。
【考案を実施するための形態】
【００２０】
以下、適宜図面を参照しつつ、本考案の実施の形態を詳説する。
【００２１】
［包装資材セット］
図１及び図２に本考案の一実施形態に係る包装資材セットを示す。具体的には、図１は、箱状に組み立て可能な箱用シート１とを示し、図２は、箱用シート１を組み立ててなる段ボール箱の内部に配置される仕切体に組み立てられる組仕切２を示す。
【００２２】
箱用シート１及び組仕切２は、段ボールシートから形成される。箱用シート１及び組仕切２を形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２３】
図１及び図２において、太い実線は段ボールシートを切断して形成されるエッジを示し、細い実線は段ボールシートの裏面（組み立て状態で段ボール箱の内側に配置される側の面）に筋押しして形成される罫線を示し、二点鎖線は、段ボールシートの一方の面側のライナーを残すよう厚さ方向一方側を切断したハーフカット線を示す。
【００２４】
組仕切２は、図３に示す仕切体に組み立てることができる。一方、箱用シート１は、図４に示すように、組仕切２を組み立ててなる仕切体を収容し、この仕切体によって内部空間が平面視で縦横複数に区分される段ボール箱に組み立てることができる。
【００２５】
＜箱用シート＞
箱用シート１は、それぞれ方形状に形成され、四角筒状に組み立てられるよう左右方向に連接される４つの側面パネル（第１長辺側面パネル１１、第１短辺側面パネル１２、第２長辺側面パネル１３及び第２短辺側面パネル１４）と、第１長辺側面パネル１１の第１短辺側面パネル１２と反対側の側縁から延設され、第２短辺側面パネル１４に貼着されることで４つの側面パネル１１，１２，１３，１４を無端ループ状に接続する継ぎしろ１５とを備える。
【００２６】
また、箱用シート１は、第１長辺側面パネル１１及び第２長辺側面パネル１３の上縁から延出する一対の蓋外フラップ（第１蓋外フラップ１６及び第２蓋外フラップ１７）と、第１短辺側面パネル１２及び第２短辺側面パネル１４の上縁から延出する一対の蓋内フラップ（第１蓋内フラップ１８及び第２蓋内フラップ１９）とを有する。
【００２７】
さらに、箱用シート１は、第１長辺側面パネル１１及び第２長辺側面パネル１３の下縁から延出する一対の底外フラップ（第１底外フラップ２０及び第２底外フラップ２１）と、第１短辺側面パネル１２及び第２短辺側面パネル１４の下縁から延出する一対の底内フラップ（第１底内フラップ２２及び第２底内フラップ２３）とを有する。
【００２８】
箱用シート１は、通常、第１長辺側面パネル１１及び第１短辺側面パネル１２間並びに第２長辺側面パネル１３及び第２短辺側面パネル１４間で折り曲げて、第１長辺側面パネル１１を第１短辺側面パネル１２の裏面に、第２短辺側面パネル１４を第２長辺側面パネル１３の裏面にそれぞれ密着させ、第２短辺側面パネル１４の裏面側に継ぎしろ１５を貼着した折り畳み状態でユーザーに提供される。第２短辺側面パネル１４への継ぎしろ１５の貼着は、例えば接着剤、ステープラー等を用いて行うことができる。
【００２９】
箱用シート１を組み立ててなる段ボール箱において、４つの側面パネル１１，１２，１３，１４から形成される四角筒状部の上端は、一対の蓋内フラップ１８，１９を内側に折り曲げ、この一対の蓋内フラップ１８，１９の外面に一対の蓋外フラップ１６，１７を折り重ねて、一対の蓋外フラップ１６，１７の先端縁同士を突合わせることによって封止される。同様に、４つの側面パネル１１，１２，１３，１４から形成される四角筒状部の下端は、一対の底内フラップ２２，２３を内側に折り曲げ、この一対の底内フラップ２２，２３の外面に一対の底外フラップ２０，２１を折り重ねて、一対の底外フラップ２０，２１の先端縁同士を突合わせることによって封止される。
【００３０】
箱用シート１を組み立ててなる段ボール箱は、底内フラップ２２，２３及び底外フラップ２０，２１により構成される底壁の内面に底内フラップ２２，２３の先端間の間隙によって凹部が形成される。
【００３１】
箱用シート１を組み立ててなる段ボール箱は、図示しないが、一対の蓋外フラップ１６，１７の先端縁の合わせ目及び一対の底外フラップ２０，２１の先端縁の合わせ目に沿って粘着テープを貼着することや、一対の蓋内フラップ１８，１９及び一対の蓋外フラップ１６，１７間並びに一対の底内フラップ２２，２３及び一対の底外フラップ２０，２１間を接着剤で貼り合わせることによって封函状態が保持される。
【００３２】
＜組仕切＞
本実施形態の組仕切２は、１枚の短辺中央仕切板３１と、この短辺中央仕切板３１に連設される１枚の埋板３２と、上記短辺中央仕切板３１に係合する２枚の長辺仕切板３３と、この２枚の長辺仕切板３３に係合する２枚の短辺外側仕切板３４とを含む。
【００３３】
この組仕切２は、各板を１枚の大判の段ボールシートの原紙からトムソン型を用いて切り出すことができる。図２は、段ボールシートの原紙から組仕切２の各板をトムソン型を用いて切り出す場合の各板の配置例を示す。このため、図面上側の長辺仕切板３３及び図面下側の短辺外側仕切板３４は、使用時とは上下の向きが逆転している。なお、図２において、段ボールシートの中芯の稜線の向きは上下方向とすることが好ましい。
【００３４】
なお、本明細書において、「上」及び「下」とは、組仕切２を組み立ててなる仕切体及び箱用シート１を組み立ててなる箱体の想定される一般的な使用態様における上下を意味し、「左右方向」とは、想定される一般的な使用態様における水平方向に対応する方向を意味するが、組仕切２及び箱用シート１が常にこの向きに保持されることを要求するものではない。
【００３５】
（短辺中央仕切板）
短辺中央仕切板３１は、上縁から下方に延びる２本の第１スリット３５を有する。また、短辺中央仕切板３１は、上記第１スリット３５のない部分の下方にそれぞれ切欠３６を有し、２本の第１スリット３５の下方がそれぞれ埋板３２まで延びる脚部３７とされている。
【００３６】
第１スリット３５には、長辺仕切板３３が嵌合する。このため、第１スリット３５は、段ボールシートの平均厚さと略等しい幅で直線的に形成される。また、第１スリット３５の開口部は、長辺仕切板３３を受け入れやすいようにテーパー状に拡幅していてもよい。
【００３７】
第１スリット３５の長さとしては、短辺中央仕切板３１の高さの略半分とすることが好ましい。
【００３８】
短辺中央仕切板３１が各第１スリット３５の下方にそれぞれ埋板３２が接続される脚部３７を有することによって、脚部３７の幅を比較的大きくすることができるので、短辺中央仕切板３１の強度を向上すると共に、短辺中央仕切板３１に対して埋板３２を正確に折り曲げることができる。
【００３９】
第１スリット３５が短辺中央仕切板３１の上縁から下方に延びるよう形成され、短辺中央仕切板３１の下縁には第１スリット３５が形成されないことによって、短辺中央仕切板３１と埋板３２との接続長さを比較的大きくすることができる。また、第１スリット３５が短辺中央仕切板３１の上縁側に形成されることにより、短辺中央仕切板３１に長辺仕切板３３を係合させる際に埋板３２が干渉しないため、埋板３２に長辺仕切板３３を通過させるスリット等の構成を設ける必要がない。
【００４０】
（埋板）
埋板３２は、短辺中央仕切板３１の下縁に連設され、図４に示すように、箱用シート１を組み立ててなる段ボール箱の底壁内側の底内フラップ２２，２３間の凹部に嵌合することで、段ボール箱の底壁内面の段差を実質的に解消する。
【００４１】
より詳しくは、埋板３２は、上述のように短辺中央仕切板３１と第１スリット３５の下方で接続され、短辺中央仕切板３１の切欠３６と相補的な凸部３８を有する。埋板３２の凸部３８間には、段ボールシートが存在しない領域があるが、この段ボールシートが存在しない領域は長辺仕切板３３の直下に配置されるため、段ボール箱に収容された物品は、凸部３８上に載置されることになる。
【００４２】
このように、短辺中央仕切板３１に切欠３６を形成することにより埋板３２に凸部３８を形成したことで、埋板３２の展開時における上下方向中央に短辺中央仕切板３１を連設した状態で短辺中央仕切板３１と埋板３２とを１枚の段ボールシートから一体に形成にすることができる。
【００４３】
また、第１スリット３５の下方で短辺中央仕切板３１と埋板３２とを接続することによって、物品の支持面の高さ調節に寄与しない部分を脚部３７とすることができる。このため、組仕切２は、脚部３７の幅を比較的大きくすることができるので、短辺中央仕切板の強度を確保することができる。
【００４４】
（長辺仕切板）
長辺仕切板３３は、下縁の左右方向中央から上方に延び、短辺中央仕切板３１の第１スリット３５に咬合する第２スリット３９と、第２スリット３９の左右方向両側の上縁から下方に延びる第３スリット４０とを有する。
【００４５】
この長辺仕切板３３は、第２スリット３９を短辺中央仕切板３１の第１スリット３５に咬合させることで、短辺中央仕切板３１と垂直に組み合わされる。長辺仕切板３３の第２スリット３９及び第３スリット４０の形状としては、短辺中央仕切板３１の第１スリット３５の形状と同様とすることができる。
【００４６】
図５に示すように、長辺仕切板３３は、短辺中央仕切板３１に対して上方から係合するため、箱用シート１を組み立ててなる段ボール箱内で短辺中央仕切板３１から分離することができる。従って、埋板３２上に物品が配置された状態で、物品により取り出すことが阻害される埋板３２及び埋板３２と一体に形成される短辺中央仕切板３１を段ボール箱内に残したまま、長辺仕切板３３を段ボール箱から抜き取ることができる。このように、長辺仕切板３３を抜き取ることで、収容されている物品間の隙間が大きくなるので、物品の取り出しを容易にすることができる。
【００４７】
（短辺外側仕切板）
短辺外側仕切板３４は、下縁から上方に延び、各長辺仕切板３３の第３スリット４０に咬合する２本の第４スリット４１を有する。
【００４８】
この短辺外側仕切板３４は、第４スリット４１を第３スリット４０に咬合させることで、長辺仕切板３３に垂直に組み合わされ、短辺中央仕切板３１を挟んで、短辺中央仕切板３１と平行に配置される。短辺外側仕切板３４の第４スリット４１の形状としては、短辺中央仕切板３１の第１スリット３５の形状と同様とすることができる。
【００４９】
図５に示すように、短辺外側仕切板３４は、長辺仕切板３３に対して上方から係合するため、箱用シート１を組み立ててなる段ボール箱から長辺仕切板３３を抜き取ることで、長辺仕切板３３と共に段ボール箱から抜き取られる。これによって、物品間の隙間を増大して物品の取り出しをさらに容易化することができる。
【００５０】
＜利点＞
以上のように、本考案の一実施形態に係る組仕切２は、短辺中央仕切板３１の下縁に埋板３２を連設したので、図３に示すように、埋板３２が一体化された仕切体を形成することができる。また、当該組仕切２は、短辺中央仕切板３１に切欠３６を形成し、埋板３２の切欠３６と相補的な凸部３８を形成したことで、短辺中央仕切板３１の下縁に直接埋板３２の中央部を接続することができると共に、使用する段ボールシートの面積が小さくて済む。
【００５１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５２】
本考案に係る組仕切において、長辺仕切板の枚数は、１枚以上の任意の数とすることができる。また、本考案に係る組仕切において、短辺外側仕切板の枚数は、０枚であってもよく、４枚以上の偶数であってもよい。
【００５３】
本考案に係る組仕切において、長辺仕切板の第３スリットが下縁から上方に延びるよう形成され、短辺外側仕切板の第４スリットが上縁から下方に延びるよう形成されていてもよい。
【００５４】
本考案に係る包装資材セットの箱用シートにおける段ボール箱の蓋の構成は、一対の蓋内フラップ及び一つの蓋外フラップを有する構成に限定されず、任意の構成とすることができる。
【産業上の利用可能性】
【００５５】
本考案に係る組仕切及び包装資材セットは、例えば瓶入り飲料等の包装のために特に好適に利用することができる。
【符号の説明】
【００５６】
１  箱用シート
２  組仕切
１１  第１長辺側面パネル
１２  第１短辺側面パネル
１３  第２長辺側面パネル
１４  第２短辺側面パネル
１５  継ぎしろ
１６  第１蓋外フラップ
１７  第２蓋外フラップ
１８  第１蓋内フラップ
１９  第２蓋内フラップ
２０  第１底外フラップ
２１  第２底外フラップ
２２  第１底内フラップ
２３  第２底内フラップ
３１  短辺中央仕切板
３２  埋板
３３  長辺仕切板
３４  短辺外側仕切板
３５  第１スリット
３６  切欠
３７  脚部
３８  凸部
３９  第２スリット
４０  第３スリット
４１  第４スリット
【図１】
0003211346.tif 000003
【図２】
0003211346.tif 000004
【図３】
0003211346.tif 000005
【図４】
0003211346.tif 000006
【図５】
0003211346.tif 000007